(57)【要約】      （修正有）【課題】液状味噌を適切に封入できると共に収納が容易で取り扱いやすく、更に液漏れや液だれのない容器を提供する。【解決手段】樹脂製のボトル１と該ボトルの口部にボトルキャップ２を有する容器であって、少なくとも内容物して液状味噌を取り出し可能に封入するものであり、ボトルキャップには開閉自在の蓋体２２を有し、該ボトルキャップ基部には開口部を有し、該開口部には少なくとも一方向に注ぎ口２１１の中央方向から外部方向に弧状に湾曲した曲面を有する鍔部を有する注ぎ口を設けて、該容器を構成する。【選択図】図２
0003149737.tif 000002
【実用新案登録請求の範囲】
【請求項１】
樹脂製のボトル１と該ボトル１の口部にボトルキャップ２を有する容器であって、
少なくとも内容物して液状味噌を取り出し可能に封入するものであり、
ボトルキャップ２には開閉自在の蓋体２２を有し、
該ボトルキャップ基部２１には開口部を有し、
該開口部には少なくとも一方向に注ぎ口の中央方向から外部方向に弧状に湾曲した曲面を有する鍔部を有する注ぎ口２１１を有することを特徴とする液状味噌用容器。
【請求項２】
ボトルキャップ基部２１の注ぎ口２１１が略円筒形状の内周面を有し、
蓋体２２の内側に略円筒形状の嵌合壁２２１を有し、
ボトルキャップ２の蓋体２２を閉じた状態で注ぎ口２１１の内周面に蓋体２２の嵌合壁２２１が全周に亘って接するものであることを特徴とする請求項１記載の液状味噌用容器。
【請求項３】
樹脂製のボトル１略円筒形状のボトルであることを特徴とする請求項１又は２のいずれかに記載の液状味噌用容器。
【請求項４】
樹脂製のボトル１がＰＥＴを用いた内容量略５００ＣＣのボトルであることを特徴とする請求項１乃至３のいずれかに記載の液状味噌用容器。
【考案の詳細な説明】
【技術分野】
【０００１】
本考案は、液状味噌を取り出し可能に封入する液状味噌用容器に関する。
【背景技術】
【０００２】
従来より、味噌は日本人に極めて馴染み深く古くより多用されているものである。
従って、該味噌を取り出し可能に封入する容器であって、使用後は蓋を閉じて収納しておける味噌用の容器としては、立方体形状の樹脂容器が多用されており、更に他にも例えば実開平６−２７６８２号（特許文献１）に示す容器や特開平９−１４２５０９号（特許文献２）、特開２００３−７２７６３号（特許文献３）等に示すような容器が味噌用容器として用いられているものである。
【０００３】
更に軟質樹脂製のチューブ状の容器を用いるものとしては特開２０００−１６４４３号（特許文献４）に示す容器、特開２００１−２７５８５９号（特許文献５）及び特開平８−１９８３４５号（特許文献６）のそれぞれに示す容器が存在する。
【先行技術文献】
【特許文献】
【０００４】
【特許文献１】実開平６−２７６８２号
【特許文献２】特開平９−１４２５０９号
【特許文献３】特開２００３−７２７６３号
【特許文献４】特開２０００−１６４４３号
【特許文献５】特開２００１−２７５８５９号
【特許文献６】特開平８−１９８３４５号
【考案の概要】
【考案が解決しようとする課題】
【０００５】
以上の様に、味噌容器として軟質であるが固形状の味噌を取り出し自在に封入し、使用時には必要量を取り出し、さらに通常は保存容器としても用いられる味噌用容器としては立体形状の蓋付き容器が多用されているものである。
これに対して、特許文献４乃至６に示すようにチューブ内に味噌を封入し、取り出し口を設け、そこから味噌を取り出すことの可能な容器も存在する。
【０００６】
これはチューブによって味噌の取り出しを容易にするものであり、軟質であるが固形状の味噌の取り出しの便宜を図るものである。
しかし、先ず特許文献４及び５に示す構成はチューブ状の容器を有するものであることから保管時にはどうしても寝かせておくことが必要となってしまい、不必要な場所を多くとってしまう。
【０００７】
更に、載置面積を少なくするためには倒立させるための機器が別途必要となるものである。
また、軟質であるが固形状の味噌をチューブから出す場合にはチューブを押しつぶして味噌を取り出すことが必要となり、残り少なくなればなるほど味噌の取出しが難しくなり、チューブ内に残余して使用できない味噌が出てしまう。
この場合特許文献６に示す容器も存在するが、プラスチック容器は本体部分の断面が楕円形状に広がっており、太くなっているものである。
【０００８】
従って、冷蔵庫等での保管に際して不用意に広い範囲を占領してしまいかねないものである。
特に、特許文献６に示す容器は液体状の味噌を用いるものであり、極めて有意義であるが、反面味噌の取り出しを行なうキャップには孔を有しているだけであり、零れ落ちや液漏れ等に関する防備は全くなされていないものである。
特に使用時にはどうしても液状の味噌ゆえ孔から滴ってしまう恐れもあり、固形状味噌であれば防げる汚れがどうしても出てしまうものである。
【０００９】
特に該文献の容器は対応味噌として液状とはいえ通常の普通味噌と比較して粘度の低い粘稠状であり、流動状であって半液体状を意味するものであり、液状までいかない練状であり、そもそも液漏れの心配は極めて少ないものでしかない。
しかし、液体状であればより他の素材になじみやすく、みそ汁や調味料として使用する場合に使い勝手の高いものとなるものである反面、前記容器にしても問題を有し、これに適切の対応した容器が存在していないものである。
従って、液体状の味噌に合致した使い勝手の良い味噌容器であって、更には収納性も高い液状味噌用容器の提供が望まれているものである。
【課題を解決するための手段】
【００１０】
以上のように係る課題を見事に解決するため、液状味噌を適切に封入できると共に収納の容易で取り扱いやすい容器であって、更に液漏れや液だれのない容器の提供を課題とするものであり、係るため請求項１に係る考案は、樹脂製のボトルと該ボトルの口部にボトルキャップを有する容器であって、少なくとも内容物して液状味噌を取り出し可能に封入するものであり、ボトルキャップには開閉自在の蓋体を有し、該ボトルキャップ基部には開口部を有し、該開口部には少なくとも一方向に注ぎ口の中央方向から外部方向に弧状に湾曲した曲面を有する鍔部を有する注ぎ口を有する液状味噌用容器によって解決できる。
【００１１】
この場合、請求項２に係る考案のようにボトルキャップ基部の注ぎ口が略円筒形状の内周面を有し、蓋体の内側に略円筒形状の嵌合壁を有し、ボトルキャップの蓋体を閉じた状態で注ぎ口の内周面に蓋体の嵌合壁が全周に亘って接する液状味噌用容器を用いてもよい。
或いは、請求項３に係る考案のように樹脂製のボトルが略円筒形状のボトルであっても、請求項４に係る考案のように樹脂製のボトルがＰＥＴを用いた内容量略５００ＣＣのボトルであってもよい。
【考案の効果】
【００１２】
以上のように構成したことから、先ず請求項１に係る考案によって液状味噌の封入可能な容器を提供できると共に、製造の容易で取り扱いの便利な樹脂製のボトルを用いた容器の提供ができるものである。
併せて、注ぎ口を用いることから液状の味噌を用いても液漏れや液だれを防止できるものである。
【００１３】
更に請求項２に係る考案によれば、ボトルキャップ内において注ぎ口の開口部分を蓋体の嵌合壁で封鎖できるものであり、一旦開口した容器であっても、蓋体を閉じることによってこの部分で密封することができ不用意な液漏れなどを防止できるものとなる。
次に、請求項３に係る考案によって円筒形のボトルを用いるものとなり、例えば冷蔵庫や収納庫等への収納が容易となる。
又、請求項４に係る考案によって、多用されている安価で作業のしやすい容器を用いることが可能となる。
【図面の簡単な説明】
【００１４】
【図１】本考案に係る液状味噌用容器の一例を示す図
【図２】本考案に係る液状味噌用容器の一例を示す図
【図３】本考案に係る液状味噌用容器の一例を示す図
【図４】本考案に係る液状味噌用容器の一例の一部断面図を示す図
【図５】本考案に係る液状味噌用容器の一例の一部断面図を示す図
【考案を実施するための形態】
【００１５】
図１は、本考案に係る液状味噌用容器の一例を示す図であり、ボトル形状の樹脂製容器であるボトル１内に液状味噌を封入し、該ボトル形状の容器の開口部を有する口部分にボトルキャップ２を有しており、該ボトルキャップ２の蓋体２２が開いている状態の一例を示す。
該ボトルキャップ２の中心部分の注ぎ口中央部には取っ手２００のついた封鎖具２０があり、内容物である液状味噌はボトル内部に封入しているものである。
【００１６】
次に該ボトルキャップの基部２１の注ぎ口開口部分の周囲には、湾曲した突出周辺部からなる鍔部を有する注ぎ口２１１を有しており、この湾曲形状によって注ぎ口２１１から抽出した液状味噌の液漏れや液だれを防止できるものである。
係る鍔部を有する注ぎ口２１１の湾曲形状は注ぎ口中央から外部方向に弧状に湾曲した曲面を有する鍔部であり、少なくとも蓋体２２がボトルキャップ基部２１と連設する連設部２２０の対向方向において有するものである。
【００１７】
更に該鍔部を有する注ぎ口２１１の外周には環状の突出壁２１２を有しており、その外周面には蓋体と嵌合するための溝部からなる係合部２１３を有しており、又その溝部に対応する形状の溝部或いは突出部からなる係合部２２２を蓋部２２に有している。
更に該ボトルキャップ２の最外周には外周壁部２１４を有しており、蓋体２２を封鎖した場合に蓋体２２の側壁部２２３と外周壁部２１４とが繋がった周面を構成するものとなる。
【００１８】
次に蓋体２２は連設部２２０でボトルキャップ基部２１と繋がっているが、該蓋体２２の中心部の内面には嵌合壁２２１を有している。
この嵌合壁２２１はちょうど、ボトルキャップ基部２１の注ぎ口２１１の内周面に該嵌合壁２２１の外周がほぼ全周に亘って接する程度の外径を有しているものである。
従って蓋体２２を閉めた場合にはこの嵌合壁２２１が注ぎ口２１１の内径にはまりきっちりと密封できるものとなる。
【００１９】
次に本図に示すボトル１は、一般的な略５００ＣＣの内容量を有する円柱形状の透明な樹脂製容器であり、ＰＥＴを用いた所謂ペットボトルと称されるものである。
このボトルは一例であり、略円柱形状のボトル等を用いたものであればよく内容量も３５０ＣＣや他の容量のものでもよい。
このようにペットボトル等を用いることにより、製造コストのみならず収納容易で使いやすいボトルを用いた容器が提供できる。
【００２０】
特に、従来の味噌は半固形状であり、軟質なものであるのに対して、本考案はこの味噌を 液状として液体状態の味噌を用いるものであり、ほぼ液体の取り扱いと同様である反面、粘り気や固形物をも内在することに伴い、本考案のような極めて特殊な容器が必要となるものである。
【００２１】
図２は、図１に示す本考案に係る液状味噌用容器の注ぎ口中央部の取っ手２００のついた封鎖具２０を取り外してボトルを開口した状態の一例を示す図である。
従って注ぎ口２１１の中央部はボトル１の開口部となり、ここからボトル内の液状味噌を取り出せるものである。
【００２２】
図３は、図１又は図２に示す本考案に係る液状味噌用容器の蓋体２２を閉じた状態の一例を示す図である。
該ボトルキャップ２の基部２１の最外周の外周壁部２１４と蓋体２２の側壁部２２３とによって外周部分を一の周面として形成できるものであり、特に蓋体２２には蓋体の開閉を容易にするための摘み部２２４を有している。
【００２３】
図４は、ボトルキャップ２の蓋体２２を開いた状態で注ぎ口の封鎖具を取り外した一例の断面図を示す。
本図に示す構成は、先ずボトル１の開口部の突出した口の部分である口部がボトルキャップ基部２１の突出壁２１２内部の空洞にはめ込まれて装着されており、更にその外周には外周壁部２１４を有する。
【００２４】
更に突出壁２１２の内周方向には少なくとも一方向に注ぎ口中央から外部方向に弧状に湾曲した曲面を有する鍔部を有する注ぎ口２１１を有する。
更に蓋体２２にはその内面方向の中央部に突出して環状であって円筒形状に構成した壁部からなる嵌合壁２２１を有する。
【００２５】
尚、ボトルキャップ基部２１の外周壁部２１４と突出壁２１２と注ぎ口２１１及び蓋体２２の側壁部２２３と嵌合壁２２１はいずれも環状即ち略円筒形状の筒状形態よりなるものである。
これは一例であり、他の構成を有するものであってももちろんよい。  更にボトル内には液状の味噌を有している。
【００２６】
図５は、蓋体を閉じた状態の断面図の一例を示す。
本図に示すように外周壁２１４と側壁部２２３とによってボトルキャップ２の外周部分が構成されており、蓋体２２には摘み部２２４を有する。
更に注ぎ口２２１の内周面は略円筒形状に構成されているものであり、この部分の内周面に蓋体２２の略円筒形状の嵌合壁２２１が全周に亘って接しており、液状の味噌をしっかりと封鎖するものである。
【００２７】
尚、基部２１と蓋体２２とは、基部２１の環状の突出壁２１２の係合部２１３と蓋体２２の係合部２２２とによって嵌合してきっちりと封鎖されているものである。
【符号の説明】
【００２８】
１      ボトル
２      ボトルキャップ
２０    封鎖具
２００  取っ手
２１    基部
２１１  注ぎ口
２１２  突出壁
２１３  係合部
２１４  外周壁
２２    蓋体
２２０  連設部
２２１  嵌合壁
２２２  係合部
２２３  側壁
２２４  摘み部
【図１】
0003149737.tif 000003
【図２】
0003149737.tif 000004
【図３】
0003149737.tif 000005
【図４】
0003149737.tif 000006
【図５】
0003149737.tif 000007